(57)【要約】【課題】紛失した携帯電話機の捜索を容易にすると共に、紛失した携帯電話機が第三者の手に渡る可能性を低くすることが可能な携帯電話機を提供する。【解決手段】マナーモードを有する携帯電話機は、マナーモードが設定されている状況で着信があると、マナーモードに応じた呼出動作を実行する実行手段と、マナーモードに応じた呼出動作の継続時間が所定時間を超えると、携帯電話機の現在位置が所定領域内か否かを判定する判定手段と、前記現在位置が所定領域内である場合には、マナーモードを解除して着信音を鳴らし、前記現在位置が所定領域内でない場合には、マナーモードを継続しつつ前記現在位置を特定するための位置関連情報を所定送信先に送信する制御手段と、を含む。【選択図】図１
2012100231.tif 000002
【特許請求の範囲】
【請求項１】
マナーモードを有する携帯電話機であって、
前記マナーモードが設定されている状況で着信があると、前記マナーモードに応じた呼出動作を実行する実行手段と、
前記マナーモードに応じた呼出動作の継続時間が所定時間を超えると、前記携帯電話機の現在位置が所定領域内か否かを判定する判定手段と、
前記現在位置が前記所定領域内である場合には、前記マナーモードを解除して着信音を鳴らし、前記現在位置が前記所定領域内でない場合には、前記マナーモードを継続しつつ前記現在位置を特定するための位置関連情報を所定送信先に送信する制御手段と、を含む携帯電話機。
【請求項２】
請求項１に記載の携帯電話機において、
前記所定領域は、所定のＥＳＳＩＤを有し通信相手に当該所定のＥＳＳＩＤを送信する無線ＬＡＮのアクセスポイントの通信領域であり、
前記判定手段は、前記所定のＥＳＳＩＤを有し、当該所定のＥＳＳＩＤと同一のＥＳＳＩＤを受信した場合に、前記現在位置が前記無線ＬＡＮのアクセスポイントの通信領域内であると判定し、当該所定のＥＳＳＩＤと同一のＥＳＳＩＤを受信していない場合には、前記現在位置が前記無線ＬＡＮのアクセスポイントの通信領域内でないと判定する、携帯電話機。
【請求項３】
請求項１に記載の携帯電話機において、
前記所定領域は、所定の識別情報を有し通信相手に当該所定の識別情報を送信するブルートゥース通信機能付きの所定機器のブルートゥース通信領域であり、
前記判定手段は、前記所定の識別情報を有し、当該所定の識別情報と同一の識別情報を受信した場合に、前記現在位置が前記所定機器のブルートゥース通信領域内であると判定し、当該所定の識別情報と同一の識別情報を受信していない場合には、前記現在位置が前記所定機器のブルートゥース通信領域内でないと判定する、携帯電話機。
【請求項４】
請求項１から３のいずれか１項に記載の携帯電話機において、
撮像手段をさらに含み、
前記制御手段は、前記現在位置が前記所定領域内でない場合には、前記マナーモードを継続しつつ、前記撮像手段で前記携帯電話機の周囲の撮像を行い、前記撮像によって生成された画像データを、前記位置関連情報として、前記所定送信先に送信する、携帯電話機。
【請求項５】
請求項４に記載の携帯電話機において、
前記制御手段は、前記現在位置が前記所定領域内である場合には、前記マナーモードを解除して着信音を鳴らすとともに、前記撮像手段で前記携帯電話機の周囲の撮像を行い、前記撮像によって生成された画像データを、前記所定送信先に送信する、携帯電話機。
【請求項６】
請求項１から５のいずれか１項に記載の携帯電話機において、
ＧＰＳを用いて前記携帯電話機の現在位置を示す緯度経度を計測するＧＰＳ手段をさらに含み、
前記制御手段は、前記現在位置が前記所定領域内でない場合には、前記マナーモードを継続しつつ、前記ＧＰＳ手段が計測した緯度経度を示す位置情報を、前記位置関連情報として、前記所定送信先に送信する、携帯電話機。
【請求項７】
マナーモードを有する携帯電話機が行う携帯電話機の位置通知方法であって、
前記マナーモードが設定されている状況で着信があると、前記マナーモードに応じた呼出動作を実行する実行ステップと、
前記マナーモードに応じた呼出動作の継続時間が所定時間を超えると、前記携帯電話機の現在位置が所定領域内か否かを判定する判定ステップと、
前記現在位置が前記所定領域内である場合には、前記マナーモードを解除して着信音を鳴らし、前記現在位置が前記所定領域内でない場合には、前記マナーモードを継続しつつ前記現在位置を特定するための位置関連情報を所定送信先に送信する制御ステップと、を含む携帯電話機の位置通知方法。
【請求項８】
請求項７に記載の携帯電話機の位置通知方法において、
前記所定領域は、所定のＥＳＳＩＤを有し通信相手に当該所定のＥＳＳＩＤを送信する無線ＬＡＮのアクセスポイントの通信領域であり、
前記携帯電話機は、前記所定のＥＳＳＩＤを有するものであり、
前記判定ステップでは、前記携帯電話機が有する所定のＥＳＳＩＤと同一のＥＳＳＩＤを受信した場合に、前記現在位置が前記無線ＬＡＮのアクセスポイントの通信領域内であると判定し、前記携帯電話機が有する所定のＥＳＳＩＤと同一のＥＳＳＩＤを受信していない場合には、前記現在位置が前記無線ＬＡＮのアクセスポイントの通信領域内でないと判定する、携帯電話機の位置通知方法。
【発明の詳細な説明】
【技術分野】
【０００１】
本発明は、携帯電話機および携帯電話機の位置通知方法に関する。
【背景技術】
【０００２】
特許文献１には、ユーザが携帯電話機を紛失した場合に、ユーザによる捜索を容易にする携帯電話機が記載されている。
【０００３】
特許文献１に記載の携帯電話機は、所定のユーザ識別情報を受信すると、携帯電話機の捜索を容易にするために、所定時間だけ着信音を鳴らし、その後、カメラで撮影を行って画像データを生成し、画像データを予め登録されていたメールアドレス宛に送信する。
【先行技術文献】
【特許文献】
【０００４】
【特許文献１】特開２００６−２１７０６９号公報
【発明の概要】
【発明が解決しようとする課題】
【０００５】
現在、携帯電話機には個人情報が登録されていることが少なくなく、携帯電話機がむやみに第三者の手に渡ることは好ましくない。
【０００６】
特許文献１に記載の携帯電話機は、第三者が存在する場所に置き忘れられた状況でも、所定のユーザ識別情報を受信すると、携帯電話機の捜索を容易にするために、所定時間だけ着信音を鳴らす。
【０００７】
このため、特許文献１に記載の携帯電話機は、第三者が存在する場所に置き忘れられた場合、携帯電話機の捜索を容易にするために鳴らされる着信音によって、ユーザではなく第三者にて発見され、第三者の手に渡る可能性が高くなるという課題があった。
【０００８】
本発明の目的は、上述した課題を解決可能な携帯電話機および携帯電話機の位置通知方法を提供することである。
【課題を解決するための手段】
【０００９】
本発明の携帯電話機は、マナーモードを有する携帯電話機であって、前記マナーモードが設定されている状況で着信があると、前記マナーモードに応じた呼出動作を実行する実行手段と、前記マナーモードに応じた呼出動作の継続時間が所定時間を超えると、前記携帯電話機の現在位置が所定領域内か否かを判定する判定手段と、前記現在位置が前記所定領域内である場合には、前記マナーモードを解除して着信音を鳴らし、前記現在位置が前記所定領域内でない場合には、前記マナーモードを継続しつつ前記現在位置を特定するための位置関連情報を所定送信先に送信する制御手段と、を含む。
【００１０】
本発明の携帯電話機の位置通知方法は、マナーモードを有する携帯電話機が行う携帯電話機の位置通知方法であって、前記マナーモードが設定されている状況で着信があると、前記マナーモードに応じた呼出動作を実行する実行ステップと、前記マナーモードに応じた呼出動作の継続時間が所定時間を超えると、前記携帯電話機の現在位置が所定領域内か否かを判定する判定ステップと、前記現在位置が前記所定領域内である場合には、前記マナーモードを解除して着信音を鳴らし、前記現在位置が前記所定領域内でない場合には、前記マナーモードを継続しつつ前記現在位置を特定するための位置関連情報を所定送信先に送信する制御ステップと、を含む。
【発明の効果】
【００１１】
本発明によれば、紛失した携帯電話機の捜索を容易にすると共に、紛失した携帯電話機が第三者の手に渡る可能性を低くすることが可能になる。
【図面の簡単な説明】
【００１２】
【図１】本発明の第１実施形態の携帯電話機１００を示したブロック図である。
【図２】第１実施形態の動作を説明するためのフローチャートである。
【図３】本発明の第２実施形態の携帯電話機１００Ａを示したブロック図である。
【発明を実施するための形態】
【００１３】
以下、本発明の実施形態を図面を参照して説明する。
【００１４】
（第１実施形態）
図１は、本発明の第１実施形態の携帯電話機１００を示したブロック図である。
【００１５】
図１において、携帯電話機１００は、入力部１と、バイブレータ２と、スピーカ３と、カメラ４と、ＧＰＳ（Global Positioning System）部５と、通信処理部６と、アンテナ７と、無線ＬＡＮ判定部８と、制御部９と、を含む。
【００１６】
携帯電話機１００は、マナーモードを有する。マナーモードは、着信時に、着信音を消音し、バイブレータ振動のみ、もしくは無音とするモードである。マナーモードは、一般的に、音を出したくない場所で設定される。
【００１７】
また、携帯電話機１００は、無線ＬＡＮ（Local Area Network）通信機能を有する。無線ＬＡＮには、ＥＳＳＩＤ（Extended Service Set Identifier）と呼ばれる識別子が割り当てられている。
【００１８】
携帯電話機１００は、無線ＬＡＮのうち携帯電話機１００が通信可能な無線ＬＡＮに割り当てられているＥＳＳＩＤを、無線ＬＡＮ判定部８内に格納する。携帯電話機１００が通信可能な無線ＬＡＮに割り当てられているＥＳＳＩＤは、一般的に所定のＥＳＳＩＤと呼ぶことができる。
【００１９】
本実施形態では、携帯電話機１００が通信可能な無線ＬＡＮとして、携帯電話機１００のユーザの自宅に配設された無線ＬＡＮ（以下「自宅無線ＬＡＮ」と称する）と、携帯電話機１００のユーザのオフィスに配設された無線ＬＡＮ（以下「オフィス無線ＬＡＮ」と称する）と、が用いられる。
【００２０】
このため、携帯電話機１００は、自宅無線ＬＡＮに接続でき、また、オフィス無線ＬＡＮに接続できる。
【００２１】
なお、自宅無線ＬＡＮのアクセスポイント２０１Ａは、通信相手に、自宅無線ＬＡＮのアクセスポイント２０１Ａに割り当てられたＥＳＳＩＤを送信する。また、オフィス無線ＬＡＮのアクセスポイント２０１Ｂは、通信相手に、オフィス無線ＬＡＮのアクセスポイント２０１Ｂに割り当てられたＥＳＳＩＤを送信する。
【００２２】
入力部１は、例えば、キー入力部またはタッチパネルであり、ユーザにて操作される。入力部１は、例えば、マナーモードを設定する旨の設定情報と、マナーモードを解除する旨の解除情報とを、ユーザから受け付ける。なお、制御部９は、入力部１が設定情報を受け付けると、マナーモードを設定する。また、制御部９は、入力部１が解除情報を受け付けると、マナーモードを解除する。
【００２３】
バイブレータ２は、一般的に実行手段と呼ぶことができる。
【００２４】
バイブレータ２は、マナーモードが設定されている状況で携帯電話機１００に着信があると、振動を開始する。なお、バイブレータ２の振動は、一般的に、マナーモードに応じた呼出動作と呼ぶことができる。
【００２５】
スピーカ３は、例えば、マナーモードが解除されている状況で携帯電話機１００に着信があると、着信音を鳴らす。スピーカ３は、マナーモードが設定されている状況で携帯電話機１００に着信があった際には、着信音を鳴らさない。
【００２６】
カメラ４は、一般的に撮像手段と呼ぶことができる。カメラ４は、携帯電話機１００の周囲の撮像を行って画像データを生成する。
【００２７】
ＧＰＳ部５は、一般的にＧＰＳ手段と呼ぶことができる。ＧＰＳ部５は、ＧＰＳを用いて、携帯電話機１００の現在位置を示す緯度および経度を計測する。
【００２８】
通信処理部６は、アンテナ７を用いて、携帯電話通信および電子メール通信を行う。
【００２９】
無線ＬＡＮ判定部８は、一般的に判定手段と呼ぶことができる。
【００３０】
無線ＬＡＮ判定部８は、マナーモードに応じた呼出動作の継続時間が、予め定められたカウント時間（例えば１分間）を超えると、携帯電話機１００の現在位置が、自宅無線ＬＡＮのアクセスポイント２０１Ａの通信領域内か、オフィス無線ＬＡＮのアクセスポイント２０１Ｂの通信領域内か、または、自宅無線ＬＡＮのアクセスポイント２０１Ａの通信領域内でもオフィス無線ＬＡＮのアクセスポイント２０１Ｂの通信領域内でもない領域（以下「その他領域」と称する）内か、を判定する。
【００３１】
なお、自宅無線ＬＡＮのアクセスポイント２０１Ａの通信領域とオフィス無線ＬＡＮのアクセスポイント２０１Ｂの通信領域とは、一般的に、所定領域と呼ぶことができる。なお、所定領域は、上記に限るものではない。また、予め定められたカウント時間は、一般的に所定時間と呼ぶことができ、例えば、制御部９に記憶される。予め定められたカウント時間は、１分間に限るものではなく適宜変更可能である。
【００３２】
無線ＬＡＮ判定部８は、自宅無線ＬＡＮに割り当てられたＥＳＳＩＤと、オフィス無線ＬＡＮに割り当てられたＥＳＳＩＤと、を記憶する。
【００３３】
無線ＬＡＮ判定部８は、無線ＬＡＮ判定部８内のＥＳＳＩＤと同一のＥＳＳＩＤを受信した場合に、携帯電話機１００の現在位置が、自宅無線ＬＡＮのアクセスポイント２０１Ａまたはオフィス無線ＬＡＮのアクセスポイント２０１Ｂの通信領域内であると判定する。
【００３４】
無線ＬＡＮ判定部８は、無線ＬＡＮ判定部８内のＥＳＳＩＤと同一のＥＳＳＩＤを受信していない場合には、携帯電話機１００の現在位置が、その他領域内であると判定する。
【００３５】
制御部９は、一般的に制御手段と呼ぶことができる。
【００３６】
制御部９は、携帯電話機１００の現在位置が、所定領域（本実施形態では、自宅無線ＬＡＮのアクセスポイント２０１Ａの通信領域と、オフィス無線ＬＡＮのアクセスポイント２０１Ｂの通信領域と、を合わせた領域）内である場合には、マナーモードを解除して、スピーカ３から着信音を鳴らす。
【００３７】
制御部９は、携帯電話機１００の現在位置が、その他領域内である場合には、マナーモードを継続しつつ、携帯電話機１００の現在位置を特定するための位置関連情報を、予め定められた所定送信先に、通信処理部６を用いて送信する。所定送信先は、制御部９に格納されている。
【００３８】
本実施形態では、制御部９は、携帯電話機１００の現在位置が、その他領域内である場合には、マナーモードを継続しつつ、カメラ４で携帯電話機１００の周囲の撮像を行い、その撮像によって生成された画像データを、位置関連情報として所定送信先に送信する。
【００３９】
なお、制御部９は、携帯電話機１００の現在位置が、自宅無線ＬＡＮのアクセスポイント２０１Ａの通信領域内またはオフィス無線ＬＡＮのアクセスポイント２０１Ｂの通信領域内である場合、マナーモードを解除して着信音を鳴らすとともに、カメラ４で携帯電話機１００の周囲の撮像を行い、その撮像によって生成された画像データを、所定送信先に送信する。
【００４０】
また、制御部９は、携帯電話機１００の現在位置が、その他領域内である場合、マナーモードを継続しつつ、ＧＰＳ部５が計測した現在位置を示す位置情報（携帯電話機１００の現在位置を示す緯度および経度）を、位置関連情報として所定送信先に送信する。
【００４１】
図２は、第１実施形態の動作を説明するためのフローチャートである。以下、図２を参照して第１実施形態の動作を説明する。
【００４２】
マナーモードが設定されている状況で携帯電話機１００に着信がかかると（ステップＳ２０１）、制御部９は、バイブレータ２に振動を開始させ、予め携帯電話機１００内に設定されたカウント時間と、着信時間（バイブレータ２の動作継続時間）の比較を行う（ステップＳ２０２、Ｓ２０３）。
【００４３】
これは、通常の着信で、図２に示したステップＳ２０４以降の動作が行われないように、ある程度長い時間の着信時間でないと、ステップＳ２０４以降の動作が行われないようにするためである。
【００４４】
着信時間が、携帯電話機１００内に設定されたカウント時間を超えると、制御部９は、無線ＬＡＮ判定部８に、無線ＬＡＮのアクセスポイントのサーチを行う処理を実行させる。
【００４５】
無線ＬＡＮ判定部８は、通常、複数のアクセスポイントを検出可能であり、特に指定がなければ、ＲＳＳＩ（受信電力）の大きいアクセスポイントから使用していく（ステップＳ２０４）。
【００４６】
アクセスポイントは、無線ＬＡＮ判定部８内のＥＳＳＩＤが誰でもつながる「ＡＮＹ」でない場合には、無線ＬＡＮ判定部８内のＥＳＳＩＤがアクセスポイントのＥＳＳＩＤと同一である場合にのみ、携帯電話機１００と接続する。
【００４７】
無線ＬＡＮ判定部８は、サーチにて発見された無線ＬＡＮのアクセスポイント（ＡＰ）からＥＳＳＩＤを受信し、無線ＬＡＮ判定部８内のＥＳＳＩＤと同一のＥＳＳＩＤを有するアクセスポイントがあるか否かを判定する（ステップＳ２０５）。
【００４８】
無線ＬＡＮ判定部８は、無線ＬＡＮ判定部８内のＥＳＳＩＤと同一のＥＳＳＩＤを有するアクセスポイントが存在する場合には、携帯電話機１００が「自宅またはオフィス内」に存在すると判定する。
【００４９】
一方、無線ＬＡＮ判定部８は、無線ＬＡＮ判定部８内のＥＳＳＩＤと同一のＥＳＳＩＤを有するアクセスポイントが存在しない場合には、携帯電話機１００が「自宅とオフィス以外」に存在すると判定する。
【００５０】
制御部９は、無線ＬＡＮ判定部８が携帯電話機１００は「自宅またはオフィス内」に存在すると判定した場合、携帯電話機１００の置き方によっては、カメラレンズが遮られてなにも映らない可能性もあるが、着信鳴動のみを頼りにして携帯電話機１００を探すだけでは、なかなか見つからない場合もあるため、カメラ４による携帯電話機１００の周囲を表す静止画撮影を行う（ステップＳ２０６）。
【００５１】
続いて、制御部９は、マナーモードの一時解除を行い、着信音量を最大に変更して、スピーカ３から最大音量で着信音を鳴らす（ステップＳ２０７）。なお、マナーモードの解除は、一時的で、着信状態が解除された場合は、元のマナーモードの設定に戻る。これは、他の人からの着信で着信音量最大で着信鳴動しないようにするためである。
【００５２】
続いて、制御部９は、発見されたアクセスポイントのＥＳＳＩＤと、カメラ４が撮影した静止画の情報と、を有する電子メールを作成し（ステップＳ２０８）、その電子メールを、予め設定しておいた指定メールアドレス（所定送信先）に発信する（ステップＳ２０９）。
【００５３】
一方、ステップＳ２０５で、無線ＬＡＮ判定部８が携帯電話機１００は「自宅とオフィス以外」に存在すると判定した場合、制御部９は、カメラ４による静止画撮影は行うが（ステップＳ２１０）、マナーモードの一時解除、着信音最大に変更する処理は行なわず、その処理の代わりにＧＰＳ部５による測位を行う（ステップＳ２１１）。
【００５４】
続いて、制御部９は、発見されたアクセスポイントのＥＳＳＩＤと、カメラ４が撮影した静止画の情報と、ＧＰＳ部５が測定した緯度経度情報と、を有する電子メールを作成し（ステップＳ２１２）、その電子メールを指定メールアドレス（所定送信先）に発信する（ステップＳ２０９）。
【００５５】
次に、本実施形態の効果を説明する。
【００５６】
本実施形態では、無線ＬＡＮのＥＳＳＩＤによる判定と、着信時間による判定と、を組み合わせることで、他人からの着信では動作しにくく、また、「自宅やオフィス」と「それ以外」の環境によって携帯電話機１００の動作を変更することにより、自宅・オフィス内では着信音量最大で鳴動することにより発見しやすく、それ以外では他人に発見されにくい携帯電話機を提供することが可能になる。
【００５７】
本実施形態では、ユーザが置き忘れた携帯電話機１００に着信をかけ、携帯電話機１００の無線ＬＡＮのアクセスポイントへの帰属確認を用いて、携帯電話機１００を置き忘れた場所が、自宅やオフィスといった、自分で登録した無線ＬＡＮの電波が届く範囲内であるか否かが判定される。
【００５８】
携帯電話機１００を置き忘れた場所が、自宅やオフィスといった、自分で登録した無線ＬＡＮの電波が届く範囲内であれば、携帯電話機１００は、一時的にマナーモードを解除し、最大音量で着信鳴動するとともに、カメラ４で静止画を撮影し、あらかじめ設定しておいたメールアドレスに、その画像を発信する。
【００５９】
また、無線ＬＡＮのアクセスポイントへの帰属確認の結果、携帯電話機１００を置き忘れた場所が、自宅やオフィスでないと判定した場合は、携帯電話機１００は、マナーモードの解除を行わず、カメラ４で撮影した静止画と、サーチ圏内にある無線ＬＡＮのアクセスポイントのＥＳＳＤＩと、ＧＰＳ部５が測位した携帯電話機１００の緯度経度情報を、あらかじめ設定しておいたメールアドレスに送信する。
【００６０】
このため、自宅やオフィスで携帯電話機１００を発見することを容易にでき、また外出先での置き忘れの場合は、他人に発見されることなく、自分の携帯電話機１００の場所の特定を容易にすることが可能になる。
【００６１】
次に、本実施形態の作用効果を説明する。
【００６２】
本実施形態によれば、制御部９は、携帯電話機１００の現在位置が所定領域内である場合には、マナーモードを解除して着信音を鳴らし、携帯電話機１００の現在位置が所定領域内でない場合には、マナーモードを継続しつつ携帯電話機１００の現在位置を特定するための位置関連情報を所定送信先に送信する。
【００６３】
このため、例えば、所定領域として、携帯電話機１００のユーザの管理下にある場所（例えば、自宅またはオフィス）が設定されると、携帯電話機１００は、ユーザの管理下にある場所では着信音を鳴らし、ユーザの管理下にない場所では着信音を鳴らさず位置関連情報を送信することになる。
【００６４】
この場合、ユーザの管理下にある場所では、ユーザによる携帯電話機１００の発見を容易にし、ユーザの管理下にない場所では、第三者にて携帯電話機１００が発見される確率を高くすることなくユーザによる携帯電話機１００の発見を容易にすることが可能になる。したがって、紛失した携帯電話機１００の捜索を容易にすると共に、紛失した携帯電話機１００が第三者の手に渡る可能性を低くすることが可能になる。
【００６５】
本実施形態では、無線ＬＡＮ判定部８は、ＥＳＳＩＤを用いて、携帯電話機１００の現在位置が所定領域内か否かを判定する。この場合、携帯電話機１００の無線ＬＡＮのアクセスポイントへの帰属確認を利用して、携帯電話機１００の現在位置が所定領域内か否かを判定することが可能になる。
【００６６】
また、本実施形態では、カメラ４によって生成された携帯電話機１００の周囲を表す画像データが、携帯電話機１００の現在位置を特定するための情報として用いられる。また、本実施形態では、ＧＰＳ部５が計測した携帯電話機１００の現在位置を示す位置情報が、携帯電話機１００の現在位置を特定するための情報として用いられる。このため、携帯電話機１００の捜索を容易にすることが可能になる。
【００６７】
（第２実施形態）
図３は、本発明の第２実施形態の携帯電話機１００Ａを示したブロック図である。なお、図３において、図１に示したものと同一構成のものには同一符号を付してある。
【００６８】
第２実施形態の携帯電話機１００Ａは、無線ＬＡＮ判定部８の代わりにブルートゥース判定部８Ａを含む点が、第１実施形態の携帯電話機１００と異なる。以下、第２実施形態の携帯電話機１００Ａについて、第１実施形態の携帯電話機１００と異なる点を中心に説明する。
【００６９】
第２実施形態では、所定領域として、予め定められた識別情報を有し通信相手にその識別情報を送信するブルートゥース通信機能付きの機器３０１のブルートゥース通信領域が用いられる。ブルートゥース通信機能付きの機器３０１は、通信相手に、自己の識別情報を送信する。
【００７０】
ブルートゥース通信での無線電波の到達距離は約１０ｍであり、ブルートゥース通信機能付きの機器３０１が検出できるということは、携帯電話機１００Ａがブルートゥース通信機能付きの機器３０１を中心とした半径１０ｍの範囲内にいると判定することができる。
【００７１】
図３において、ブルートゥース判定部８Ａは、一般的に判定手段と呼ぶことができる。
【００７２】
ブルートゥース判定部８Ａは、ブルートゥース通信機能付きの機器３０１の識別情報を有する。
【００７３】
ブルートゥース判定部８Ａは、ブルートゥース判定部８Ａ内の識別情報と同一の識別情報を受信した場合に、携帯電話機１００Ａの現在位置が、ブルートゥース通信機能付きの機器３０１のブルートゥース通信領域（所定領域）内であると判定する。
【００７４】
また、ブルートゥース判定部８Ａは、ブルートゥース判定部８Ａ内の識別情報と同一の識別情報を受信していない場合には、携帯電話機１００Ａの現在位置が、ブルートゥース通信機能付きの機器３０１のブルートゥース通信領域（所定領域）内でないと判定する。
【００７５】
本実施形態によれば、ブルートゥース通信を行うことによって、携帯電話機１００Ａの現在位置が所定領域内であるか否かを判定することが可能になる。
【００７６】
以上説明した各実施形態において、図示した構成は単なる一例であって、本発明はその構成に限定されるものではない。
【符号の説明】
【００７７】
１００、１００Ａ  携帯電話機
１      入力部
２      バイブレータ
３      スピーカ
４      カメラ
５      ＧＰＳ部
６      通信処理部
７      アンテナ
８      無線ＬＡＮ判定部
８Ａ    ブルートゥース判定部
【図１】
2012100231.tif 000003
【図２】
2012100231.tif 000004
【図３】
2012100231.tif 000005